(57)【要約】【課題】切削対象のケーブル部材から切削刃が滑ることなく、ケーブルを容易に切削することができるケーブル剥離機を提供する。【解決手段】ケーブル剥離機１は、ケーブル９を固定する筒状のハウジング３と、切削刃５を保持するとともに、ハウジング３に対して螺旋運動するホルダ７とを備える。ハウジング３は、挿通したケーブル９を固定するケーブルクランプ１１と、内面に形成された雌ネジ部１３を有するナット１５とを備える。ホルダ７は、ハウジング３の雌ネジ部１３に螺合する雄ネジ部２１と、雄ネジ部２１に接続され雌ネジ部１３の内径より小径の小径部２３と、小径部２３に接続され雌ネジ部１３の内径より半径方向に突出した切削部２５と、ケーブル９の軸芯に対して角度を有する切削刃５と、切削屑を排出する排出窓２７と、切削部２５に接続し、回転工具のチャックで把持可能なアタッチメント２９とを備える。【選択図】図１
2012228030.tif 000002
【特許請求の範囲】
【請求項１】
ケーブルを固定する筒状のハウジングと、切削刃を保持するとともに、ハウジングに対して螺旋運動するホルダと、を備えたケーブル剥離機であって、
前記ハウジングは、挿通したケーブルを固定するケーブルクランプと、内面に形成された雌ネジ部とを備え、
前記ホルダは、前記ハウジングの雌ネジ部に螺合する雄ネジ部と、該雄ネジ部に接続され前記雌ネジ部の内径より小径の小径部と、小径部に接続され前記雌ネジ部の内径より半径方向に突出した切削部と、切削部に固定されケーブルの軸芯に対して角度を有する切削刃と、切削刃により切削されたケーブル外皮を排出する排出窓と、切削部に接続し、回転工具のチャックにより把持可能なアタッチメントと、を備えたことを特徴とするケーブル剥離機。
【請求項２】
前記ハウジングに取り付けられ、該ハウジングの軸方向と交差する方向に伸びる取手を更に備えたことを特徴とする請求項１に記載のケーブル剥離機。
【請求項３】
前記雄ネジ部及び雌ネジ部のピッチ、即ち、前記螺旋運動のピッチは、３〔ｍｍ〕以上、５〔ｍｍ〕以下の範囲としたことを特徴とする請求項１に記載のケーブル剥離機。
【発明の詳細な説明】
【技術分野】
【０００１】
この発明は、被覆電線、ケーブル、光ファイバケーブル等の端部において、絶縁体、外皮、スロット等を導体もしくはテンションメンバから剥離させるケーブル剥離機に関する。
【背景技術】
【０００２】
ケーブルの端部から被覆を除去して導体を剥き出すケーブル剥離機として、特許文献１に記載の回転型ケーブル被覆剥離具が知られている。この剥離具は、ケーブルに対して回動自在な円筒状の被覆ホルダー部と、被覆ホルダー部の後端に連接され剥き出された導体を収容する筒部と、被覆ホルダー部の内壁に螺旋をなして設けられた被覆剥離カッターとを備えている。筒部の後端にはチャッキング部が設けられ、チャッキング部を電動ドリル等の回転装置で回転駆動可能となっている。被覆ホルダー部にケーブルの先端部を挿入し、チャッキング部を回転駆動すると、被覆剥離カッターがケーブルの被覆を螺旋状に剥離し、剥き出された導体が順次筒部の内部へ入り込み、導体の先端が筒部の底部に当接すると、所定長の剥離が終了する。
【０００３】
長尺ケーブルの途中箇所において、ケーブル外皮を除去するケーブル剥離機としては、特許文献２に記載の光ファイバケーブル外皮除去装置が知られている。この装置本体の概略形状は、軸方向にケーブル貫通孔を有する円筒形状を半割りにして、ヒンジで開閉可能に接続した形状をしている。ケーブル貫通孔には、軸心に対して斜めに設けた切削刃が突出している。装置本体でケーブルを挟み込んで開閉ロックを固定し、装置本体をケーブル軸方向へ回転摺動操作することにより、ケーブル外皮が螺旋状に切削される。
【０００４】
またケーブルの端部から外皮を除去してケーブルの中身を剥き出すケーブル剥離機として、特許文献３に記載のケーブル剥離装置が知られている。この装置は、ケーブルをクランプする機構と、ケーブルの絶縁体に対して調節可能な機構を持つ刃とその刃を回転させる駆動部と、刃を軸方向に進退させる調整ユニットを備える。ケーブル軸方向における刃とクランプ部との間の距離に遊びを設けるように配置されている。
【先行技術文献】
【特許文献】
【０００５】
【特許文献１】特開平８−１０３０１３号公報
【特許文献２】特開２００４−１８４７４９号公報
【特許文献３】特表２００９−５０００５９号公報
【発明の概要】
【発明が解決しようとする課題】
【０００６】
しかしながら、撚り線導体を絶縁体で被覆した被覆電線や、撚り線タイプのテンションメンバを用いたスロット型光ファイバーケーブルは、導体と被覆樹脂、テンションメンバとスロットロッドの樹脂との間の密着力が大きい。このため、外皮を螺旋状に切ることで導体から外皮を剥離する従来のケーブル剥離機では、必要な剥離力が得られず、刃が滑ったりして、剥離が困難であるという問題点があった。
【０００７】
上記問題点を解決するために、本発明の目的は、撚り線導体や撚り線タイプのテンションメンバ等のケーブル中心部材から、外皮やスロットロッドを容易に剥離することができるケーブル剥離機を提供することである。
【課題を解決するための手段】
【０００８】
上記目的を達成するために本発明は、ケーブルを固定する筒状のハウジングと、切削刃を保持するとともに、ハウジングに対して螺旋運動するホルダと、を備えたケーブル剥離機であって、前記ハウジングは、挿通したケーブルを固定するケーブルクランプと、内面に形成された雌ネジ部とを備え、前記ホルダは、ハウジングの雌ネジ部に螺合する雄ネジ部と、この雄ネジ部に接続され雌ネジ部の内径より小径の小径部と、小径部に接続され雌ネジ部の内径より半径方向に突出した切削部と、切削部に固定されケーブルの軸芯に対して角度を有する切削刃と、切削刃により切削されたケーブル外皮を排出する排出窓と、切削部に接続し、回転工具のチャックにより把持可能なアタッチメントと、を備えたことを要旨とする。
【０００９】
また本発明のケーブル剥離機においては、前記ハウジングに取り付けられ、このハウジングの軸方向と交差する方向に伸びる取手を更に備えることができる。
【００１０】
また本発明のケーブル剥離機においては、前記雄ネジ部及び雌ネジ部のピッチ、即ち、前記螺旋運動のピッチは、３〔ｍｍ〕以上、５〔ｍｍ〕以下の範囲が好ましい。
【発明の効果】
【００１１】
本発明によれば、ハウジングに対するホルダの回転運動と並進運動との関係がネジ部のピッチにより規定された一定のピッチとなるので、刃が滑ることなく、撚り線導体や撚り線タイプのテンションメンバ等のケーブル中心部材から、外皮やスロットロッドを容易に剥離することができるケーブル剥離機を提供できるという効果がある。
【００１２】
また切削屑はネジのピッチの厚さを有し、排出窓から切削屑が排出される際の弾性変形の反力により、切削されないケーブルの中心部材から切削屑を容易に剥離することができるという効果がある。
【図面の簡単な説明】
【００１３】
【図１】本発明に係るケーブル剥離機の実施形態を説明する斜視図である。
【図２】本発明に係るケーブル剥離機の実施形態を説明する部分断面斜視図である。
【発明を実施するための形態】
【００１４】
以下、本発明の実施の形態について図面を参照して説明する。図１は、本発明に係るケーブル剥離機の実施形態の外観を説明する斜視図である。図２は、本発明に係るケーブル剥離機の実施形態の内部構造を説明する部分断面斜視図であり、ケーブル剥離の終了状態を示す。
【００１５】
図１に示すように、ケーブル剥離機１は、筒状のハウジング３と、切削刃５を保持するとともに、ハウジング３に対して螺旋運動するホルダ７を備えている。
【００１６】
本実施形態は、図２に示すように、光ファイバケーブル９のテンションメンバ９ａを残して、光ファイバケーブル９の外皮（シース）９ｂと、図示しないテープファイバと、スロットロッド９ｃとを切削するケーブル剥離機１を示すものである。
【００１７】
テンションメンバ９ａは、例えば７本の素線を用いた鋼撚線であり、このテンションメンバ９ａの周囲に、例えば、ポリエチレン樹脂を用いて、外周に複数の溝９ｄを設けたスロットロッド９ｃが溶着されている。各溝９ｄには、図示しないテープファイバがそれぞれ複数収容され、その外周に図示しない不織布等を用いた押さえテープが巻かれ、さらにその外周に、耐候性ポリエチレンを用いた外皮９ｂが設けられている。
【００１８】
ハウジング３には、挿通されたケーブル９を固定するケーブルクランプ１１と、ハウジング３の内部に雌ネジ部１３を設けるためのナット１５と、取手１７とがそれぞれ固定されている。ケーブルクランプ１１は、ハウジング３の後端部に形成されたナット形状部３ａにねじ込んで固定されるクランプ本体１１ａと、締め付けキャップ１１ｂと、図示しない複数の可動フィン及び環状のゴムブッシュと、を備えている。
【００１９】
締め付けキャップ１１ｂの内側には、例えば、それぞれの底部がクランプ本体１１ａに接続している複数の台形の可動フィンが設けられている。締め付けキャップ１１ｂを締めると、各可動フィンが内側に倒れ込む角度が大きくなり、ゴムブッシュを介してケーブル９を締め付けて固定する。締め付けキャップ１１ｂを緩めると、各可動フィンが外側へ開き、ゴムブッシュの締め付けを緩和し、ケーブル９がケーブルクランプ１１に対して挿抜可能となる。尚、ケーブルクランプ１１は、ケーブル９の外径に応じて複数種類を準備して、交換可能としてもよい。
【００２０】
ナット１５は、４本のビス１９によりハウジング３に固定するための円形のフランジ１５ａと、フランジ１５ａに接続する円筒状の雌ネジ部１３とを備えている。ハウジング３は、ケーブル剥離機１の全体を軽量化するために、アルミニウム合金等で製作するのが好ましいが、ナット１５は、雌ネジ部１３に耐久性を持たせるために、ステンレス鋼等の耐蝕性と硬度と強靱性を備えた材質で製作するのが好ましい。
【００２１】
また図１に示すように、ハウジング３には、取手１７がハウジング３の軸方向と交差する方向、例えば直角方向に設けられている。ケーブル剥離時に、作業者は、左手で取手１７を把持してハウジング３を固定し、右手で後述するアタッチメント２９に取り付けた電動ドリルや電動ドライバ等の回転工具を回転させることで、剥離を行うことができる。
【００２２】
ホルダ５は、ハウジング３の雌ネジ部１３に螺合する雄ネジ部２１と、雄ネジ部２１に接続された小径部２３と、小径部２３に接続された切削部２５と、切削部２５にネジ止めされたアタッチメント２７とを備えている。
【００２３】
雄ネジ部２１は、その外周に雄ネジが形成されハウジング３の雌ネジ部１３に螺合するようになっている。本実施の形態では、比較的小さなモーメントで軸方向に大きな力を伝達できるように、雄ネジ部２１及び雌ネジ部１３のネジ山形状は、方形の角ネジで構成されている。このようにネジ山形状は角ネジが好ましいが、切削するケーブルが比較的細く切削に要するトルクが比較的小さい場合には、台形ネジや三角ネジを用いてもよい。
【００２４】
また、雄ネジ部２１及び雌ネジ部１３のピッチは、テープスロット型の光ファイバケーブルを対象とするケーブル剥離機の場合、３〔ｍｍ〕以上、５〔ｍｍ〕以下の範囲とすることが好ましい。この範囲のピッチより小さい場合には、切削片の厚さが薄いために、テンションメンバ９ａから切削片を剥離する前に切削片が破断して、テンションメンバ９ａにスロットロッド９ｃの樹脂が残りやすくなる可能性がある。またこの範囲のピッチより大きい場合には、切削刃５がスロットロッド９ｃに切り込む抵抗が大きくなりすぎて、切削が困難となる可能性がある。
【００２５】
小径部２３は、その外径がハウジング３の雌ネジ部１３より小さくされ、ホルダ５が回転してハウジング３の内部に入り、雄ネジ２１部が雌ネジ部１３を外れた場合には、ホルダ５がハウジング３に対して空回りするようになっている。図２は、この状態を示している。
【００２６】
切削部２５には、ケーブル９の軸方向に対して角度を有する切削刃５がビス５ａで固定されている。また切削部２５には、切削刃５により切削されたケーブル９の部材を排出するための排出窓２７が設けられている。
【００２７】
アタッチメント２９は、切削部２５にネジ止めするためのフランジ２９ａと、フランジ２９ａに接続し、電動ドリル等の回転工具のチャックに取り付けるための、例えば６角柱形状をした先端部２９ｂと、切削されないテンションメンバ９ａが挿通される中心孔２９ｃとを備えている。
【００２８】
次に、本実施形態のケーブル剥離機１の使用方法を説明する。ケーブル剥離機１を使用するには、まず、雌ネジ部１３と雄ネジ部２１とを螺合させて、ハウジング３を固定して、ホルダ７を反時計回りに回転させて、剥離させたい長さに応じてハウジング３からホルダ７が突出した状態にする。次いで、ハウジング３の後端に設けられたケーブルクランプ１１に、切削対象のケーブル９を挿通し、ケーブル９の先端を切削刃５に当接させた位置で、ケーブルクランプ１１の締め付けキャップ１１ｂを締めて、ケーブル９を固定する。
【００２９】
次いで、アタッチメント２９の先端部２９ａを回転工具のチャックに取り付ける。次いで、取手１７を左手で押さえて、右手に持った回転工具の引き金を引いてホルダ７を正回転させる。この回転により、ホルダ７は、ハウジング３に対して雌ネジ部１３及び雄ネジ部２１のピッチで螺旋運動し、この螺旋運動により切削刃５は、ケーブル９の外皮９ｂと、テープファイバと、スロットロッド９ｃとを切削して、切削屑を排出窓から排出する。このとき、スロットロッドの切削片は、雌ネジ部１３及び雄ネジ部２１のピッチにより定まる厚さを有し、切削刃５の刃先角で持ち上げられるので、この一定の厚さを有する切削片はテンションメンバ９ａから容易に剥離される。ケーブル９から外皮９ｂ、テープファイバ、スロットロッド９ｃが剥離されたテンションメンバ９ａは、アタッチメント２９の中心孔２９ｃへ順次入り込む。
【００３０】
ハウジング３に対するホルダ７の回転が進み、雄ネジ部２１が雌ネジ部１３より外れると、ホルダ７は空転して、切削が止まる。ここで回転工具の回転を停止させ、回転工具のチャックを緩めて、ケーブル剥離機１のアタッチメント２９から取り外す。次いで、ケーブルクランプ１１の締め付けキャップ１１ｂを緩めて、ケーブル９をケーブル剥離機１から取り外して、一連の剥離作業を終了する。
【００３１】
以上説明した本実施形態によれば、撚り線導体や撚り線タイプのテンションメンバ等のケーブル中心部材から、外皮やスロットロッドを容易に剥離することができるケーブル剥離機を提供することができる。
【００３２】
以上、実施形態を用いて本発明を詳細に説明したが、本発明は本明細書中に説明した実施形態に限定されるものではない。本発明の範囲は、特許請求の範囲の記載及び特許請求の範囲の記載と均等の範囲により決定されるものである。
【符号の説明】
【００３３】
１…ケーブル剥離機、３…ハウジング、５…切削刃、７…ホルダ、９…ケーブル、１１…ケーブルクランプ、１３…雌ネジ部、１５…ナット、１７…取手、２１…雄ネジ部、２３…小径部、２５…切削部、２７…排出窓、２９…アタッチメント
【図１】
2012228030.tif 000003
【図２】
2012228030.tif 000004